(57)【要約】      （修正有）【課題】ペットボトルに収容された米のための唐辛子などの防虫剤の成分が、温度上昇によって膨張する空気とともに防虫成分が外部に漏れてしまわないように、且つ、防虫剤を内包する補助容器が収容された米と接触しないようにする防虫剤付きペットボトルを提供する。【解決手段】ペットボトルは米１２を収容可能な胴部１６と、胴部１６の上端から肩部１８を介して接続された細い筒状の首部２０と、首部２０の上端の開口２２を開閉する蓋部と、蓋部の内側に取り付けられた補助容器２６と、を有する。補助容器２６内には防虫剤が収容され、その先端の通気孔３０からペットボトル内に防虫成分が放散されるが、通気孔３０は肩部１８の上端１８Ａと下端１８Ｂとの間にあり、温度上昇により、ペットボトル内の空気が漏出するときに防虫成分が一緒に排出されることがない。【選択図】図２
0003165762.tif 000002
【実用新案登録請求の範囲】
【請求項１】
米の収容可能な底付き胴部と、
この胴部の上端から肩部を介して接続された筒状の首部と、
この首部の上端の開口を開閉する蓋部と、を有してなり、
前記蓋部の内側に取り付けられ、この蓋部が前記開口を閉じているとき、前記首部の内側を通って配置される補助容器と、
この補助容器内に収容された唐辛子、唐辛子の切片、唐辛子の粉末のいずれかからなる防虫剤と、
前記補助容器に形成され、前記防虫剤から防虫成分が通過可能な通気孔と、を設け、
前記通気孔の最上端が、周囲温度の変化により流出する内部空気の領域の下側に隣接する高さ位置となるようにしたことを特徴とする防虫剤付きペットボトル。
【請求項２】
請求項１において、
前記通気孔は、蓋部が前記開口を閉じているとき、前記肩部の上端と下端との間の位置となるように設けたことを特徴とする防虫剤付きペットボトル。
【請求項３】
請求項１又は２において、
前記補助容器の下端は、前記肩部の上端と下端との間の位置となるように設けたことを特徴とする防虫剤付きペットボトル。
【請求項４】
請求項１乃至３のいずれかにおいて、
前記補助容器は、前記首部の内径よりも細い外径の筒状体であり、その下端に前記防虫剤を配置することを特徴とする防虫剤付きペットボトル。
【請求項５】
請求項１乃至４のいずれかにおいて、
前記首部、蓋部及び前記肩部における前記首部の周囲を被って配置された計量カップを兼ねた別蓋を着脱自在に設けたことを特徴とする防虫剤付きペットボトル。
【考案の詳細な説明】
【技術分野】
【０００１】
この考案は、米をペットボトルに詰めて販売する場合の、防虫剤付きペットボトルに関する。
【背景技術】
【０００２】
米をペット（ＰＥＴ：ポリエチレンテレフタレート）ボトルに詰めて販売する販売形態があるが、この場合、特に、東南アジアなどの気温の高い地域に輸出するような場合は、唐辛子などからなる天然の防虫剤を用いることが考えられる。
【０００３】
この防虫剤のペットボトルへの取付方法としては、例えば、特許文献１の容器用キャップを利用して、キャップの裏側に防虫剤を取り付けることが考えられる。
【０００４】
更に、特許文献２に開示される茶葉などを収容する多孔性カートリッジを設けたペットボトル用キャップのようなものを用いることも考えられる。
【０００５】
しかしながら、特許文献１のように、キャップの裏側に防虫剤を取り付けた場合、ペットボトルのおかれた環境における温度変化によって、ペットボトル内の空気が出入りするとき、防虫剤から発散される防虫成分がキャップとボトルの首部との間を通ってペットボトル外に排出されてしまうことがあるという問題点がある。
【０００６】
また、特許文献２のような、ペットボトル用キャップから下方に長く突き出したカートリッジを利用して、ここに防虫剤を収容した場合、温度変化による防虫成分の流出は抑制できるが、カートリッジがボトルに収容されている米に接触して、あるいは、防虫剤の部分が米内に埋没し、防虫成分が十分に内容物である米に行き亘らないという問題が生じる。
【０００７】
また、重い米がペットボトル内で左右に移動した場合、カートリッジは横方向の力を受けて曲がったり破損しやすいという問題点がある。
【先行技術文献】
【特許文献】
【０００８】
【特許文献１】特開平７−２０６０２６号公報
【特許文献２】登録実用新案第３０１７５３４号公報
【考案の概要】
【考案が解決しようとする課題】
【０００９】
本考案は、防虫成分がペットボトル内の空気の膨張・収縮によって外部に排出されてしまったり、防虫剤収容部が内容物である米によって曲げられたり破損したりすることがなく、更に、防虫成分が米全体に行き亘るようにすることを課題とする。
【課題を解決するための手段】
【００１０】
上記の課題は、以下のような本考案の実施例により解決することができる。
【００１１】
本考案は、米の収容可能な底付き胴部と、この胴部の上端から肩部を介して接続された筒状の首部と、この首部の上端の開口を開閉する蓋部と、を有してなり、前記蓋部の内側に取り付けられ、この蓋部が前記開口を閉じているとき、前記首部の内側を通って配置される補助容器と、この補助容器内に収容された唐辛子、唐辛子の切片、唐辛子の粉末のいずれかからなる防虫剤と、前記補助容器に形成され、前記防虫剤から防虫成分が通過可能な通気孔と、を設け、前記通気孔の最上端が、周囲温度の変化により流出する内部空気の領域の下側に隣接する高さ位置となるようにしたことを特徴とする防虫剤付きペットボトルを提供することにより、上記課題を解決するものである。
【００１２】
また、前記通気孔は、蓋部が前記開口を閉じているとき、前記肩部の上端と下端との間の位置となるように設けてもよい。
【００１３】
また、前記補助容器の下端は、前記肩部の上端と下端との間の位置となるように設けるようにしてもよい。
【００１４】
更に、前記補助容器は、前記首部の内径よりも細い外径の筒状体であり、その下端に前記防虫剤を配置するようにしてもよい。
【００１５】
更にまた、前記首部、蓋部及び前記肩部における前記首部の周囲を被って配置された計量カップを兼ねた別蓋を着脱自在に設けてもよい。
【考案の効果】
【００１６】
本考案は、防虫剤をペットボトルの肩部の内側に配置するようにして、防虫成分がペットボトル内の空気の膨張時に外部に排出されることがなく、また、防虫剤の収容部である補正容器が移動する米によって破損されたりすることがなく、更に、防虫成分が米に均一に行き亘るようにすることができるという効果を奏する。
【図面の簡単な説明】
【００１７】
【図１】本考案の実施例に係る防虫剤付きペットボトルを示す一部断面とした正面図
【図２】同実施例の要部を拡大して示す一部断面とした斜視図
【考案を実施するための形態】
【００１８】
以下、本考案の実施の形態について詳細に説明する。
【００１９】
本考案の防虫剤付きペットボトルは、ペットボトルの蓋部裏側に唐辛子などの防虫剤を収容した補助容器を取り付け、蓋部がペットボトルの首部の上端開口を閉じるときに、補助容器内の防虫剤が流出する通気孔の位置がペットボトルの胴部から首部との間の肩部内側に位置するようにして、温度上昇により流出するボトル内空気とともに防虫成分が漏出したり、補助容器が米と接触したりすることがなく、且つ、均一に防虫成分が行き亘るようにするものである。
【実施例】
【００２０】
図１に示される本考案の実施例に係る防虫剤付きペットボトル（以下ペットボトル）１０は、米１２を収容可能、且つ、底部１４を備えた胴部１６と、この胴部１６の上端から肩部１８を介して接続された筒状の首部２０と、この首部２０の上端の開口２２を開閉する蓋部２４と、この蓋部２４の内側に取り付けられ、開口２２を閉じているとき、首部２０の内側を通って配置される補助容器２６と、この補助容器２６内に収容された防虫剤２８と、を備えて構成されている。
【００２１】
補助容器２６は、先端（下端）が有底の樹脂（例えばＰＥＴ）製の円筒状部材からなり、その半球形上の下端には、防虫剤２８からの防虫成分が通過可能な通気孔３０が設けられている。この通気孔３０は蓋部２４が開口２２を閉じているとき、肩部１８の上端１８Ａと下端１８Ｂとの間の位置となるように設けられている（図２の状態参照）。
【００２２】
ここで、胴部１６は、底部１４から同一断面積で立ち上がっている範囲をいい、また首部２０は、内容物を出し入れする細口部であって、蓋部２４が着脱自在に取り付けられるものである。
【００２３】
肩部１８は、胴部１６の上端から上方に向けて断面積が小さくなるテーパー状の筒状部材であって、その上端は首部２０の下端に連続している。
【００２４】
蓋部２４は、その内周に環状溝２５Ａを備え、首部２０の外周に設けられた環状突起２０Ａの外側に弾力的に、取り外し自在に嵌合するように構成されている。
【００２５】
更に、蓋部２４の内周の、図１において上端部には係止溝２７が設けられ、この係止溝２７には補助容器２６の上端のフランジ２６Ａが嵌め込まれるようにされている。補助容器２６の上端は開口するとともに、その周囲は前記フランジ２６Ａとされている。
【００２６】
防虫剤２８は、唐辛子、唐辛子の切片、及び、唐辛子の粉末のうち１または２以上からなり、切片または粉末の場合は、通気性のある袋、例えば不織布製の袋内に入れられた状態で補助容器２６内に収容される。
【００２７】
通気孔３０は、補助容器２６の半球状の先端部に、その下方から見て、円形中心から放射状に形成された複数のスリットから構成されている。
【００２８】
この実施例に係る防虫剤付きペットボトル１０は、蓋部２４を、図１の状態から押し込んで、図２に示されるように、環状溝２５Ａが環状突起２０Ａに弾力的に嵌合して、首部２０の上端開口２２が閉じたとき、補助容器２６の下端の通気孔３０が肩部１８の上端１８Ａと下端１８Ｂとの間の高さ位置になる。
【００２９】
環境の温度上昇によって、ペットボトル１０内の空気が膨張するときには、空気が開口２２から首部２０と蓋部２４との間を通って流出するが、上記のように、通気孔３０が肩部１８の上端１８Ａと下端１８Ｂとの間の高さ位置にあるので、防虫剤２８から発散される防虫成分が通気孔３０を経てペットボトル１０内に拡散するとき、前記流出する空気に乗って外部に排出されてしまうことがない、あるいは非常に少ないことになる。
【００３０】
また、補助容器２６の先端の通気孔３０は、通常、出荷時に充填される米１２の最も高い位置となる下端１８Ｂよりも上方にあるので、例えばペットボトル１０が倒れても、米１２や補助容器２６の先端に衝突して破損したりする可能性が少なくなる。
【００３１】
また、通気孔３０から拡散する防虫成分は、通気孔３０が米１２と接触していないので、米１２の上面から一部に偏ることなく拡散していく。
【００３２】
なお、防虫剤２８を補助容器２６に装填する場合は、フランジ２６Ａを蓋部２４の嵌合溝２５Ｂに嵌め込む前に補助容器２６の上端の開口から防虫剤２８を通気孔３０方向に落とし込めばよい。
【００３３】
また、上記実施例は、蓋部２４が首部２０に嵌合することによって開口２２を閉じるように構成されているが、本考案はこれに限定されるものではなく、蓋部２４は首部２０へのねじ込みによって取り付けられるようにしてもよい。
【００３４】
また、通気孔３０は、実施例においてはスリット状とされているが、これは小孔であってもよい。
【００３５】
更に、上記実施例では、通気孔３０が肩部１８の上端１８Ａと下端１８Ｂとの間の高さ位置となるようにされているが、これは、通気孔３０の最上端の位置が周囲温度の変化により、ペットボトル１０から流出する内部空気の領域よりも下側となるようにすればよい。ここで、開口２２の下側に隣接する、膨張により流出すると予測される体積の空気の領域を「流出する内部空気の領域」とする。この場合、補助容器２６の下方への突出量を最小にするには、通気孔３０の最上端を「流出する内部空気の領域」の下側に隣接する高さ位置とするとよい。
【００３６】
例えば出荷時に、米１２を入れた状態でのペットボトル１０内の空気の容積は、ペットボトル１０の内容積を１０００ｍｌとしたとき、その約３０％の容積が空気となる。この３０％の容積、即ち３００ｍｌ、予想される温度変化量を１０℃、膨張係数を１／２７３とすると、これらの積となる１１ｍｌの空気が１０℃の温度上昇によってペットボトル１０から漏出することになる。なお、ペットボトルの膨張係数は非常に小さいので無視できる。
【００３７】
以上より、首部２０から肩部１８の内側で、開口２２の下側に隣接する容積が１１ｍｌの領域の空気が流出する可能性が高い。従って、この領域よりも下側位置に、通気孔３０の最上端が位置するようにすればよい。
【００３８】
首部２０の内側の容積は約５ｍｌであり、また、１０００ｍｌのペットボトルの肩部の内側の容積は約７０ｍｌであるので、「流出する内部空気の領域」は、開口２２からその下約２０ｍｍまでの範囲となり、肩部１８の内側で肩部１８の上端１８Ａと下端１８Ｂとの間の高さ位置となる。
【００３９】
なお、補助容器２６は蓋部２４と一体でもよく、形状は防虫剤２８収容部分を除いて忠実としたり発泡樹脂を充填したりしてもよい。
【００４０】
図２の符号３２は計量カップを兼ねた別蓋であり、この別蓋３２は、非使用時には図２に示されるように下向きにして、首部２０、肩部１８および肩部１８における前記首部２０の周囲を被って載置するようにされている。
【符号の説明】
【００４１】
１０…防虫剤付きペットボトル
１２…米
１４…底部
１６…胴部
１８…肩部
１８Ａ…上端
１８Ｂ…下端
２０…首部
２０Ａ…環状突起
２２…開口
２４…蓋部
２５Ａ…環状溝
２５Ｂ…嵌合溝
２６…補助容器
２６Ａ…フランジ
２８…防虫剤
３０…通気孔
３２…別蓋
【図１】
0003165762.tif 000003
【図２】
0003165762.tif 000004